(57)【特許請求の範囲】
【請求項１】
複数の局舎から布設された複数の光ファイバの一端部に、それぞれ対応して設置される複数の測定システムと、
前記複数の光ファイバの他端部が１本の光ファイバとして纏められた接続部に配置され、前記複数の測定システムへ測定制御信号を無線で送信する遠隔制御操作端末とを備え、
前記複数の測定システムはそれぞれ、
光回線を選択する光スイッチと、
前記光ファイバにおける局舎側の片端から光パルスを入射し、光ファイバ長手方向の各点で反射されて入射端に戻ってくる光パワーの距離分布を解析する光通信測定器と、
前記遠隔制御操作端末から送信された前記測定制御信号を受信して、前記光スイッチに光回線を選択する信号を送り、当該光スイッチで選択された光回線に対応する前記光通信測定器の測定結果を、前記遠隔制御操作端末に送信する送受信機と、
前記光スイッチ、前記光通信測定器、及び送受信機を一括して収納する可搬性のケースと、を具備する事を特徴とする光パルス測定システム。
【請求項２】
前記遠隔制御操作端末は、同一の光回線の光パルスの複数の測定結果を平均化し、複数の光通信測定器の接続損失、反射減衰量を表示する事を特徴とする請求項１に記載の光パルス測定システム。
【請求項３】
前記光通信測定器はそれぞれ識別番号が付され、前記遠隔制御操作端末は、測定結果に含まれる識別番号に基づき複数の光通信測定器毎に接続損失、反射減衰量を表示する事を特徴とする請求項２に記載の光パルス測定システム。
【請求項４】
前記遠隔制御操作端末は、前回測定した光回線ポートにプリセットする事を特徴とする請求項１乃至３のいずれか一項に記載の光パルス測定システム。
【請求項５】
前記送受信機と、前記光通信測定器とが結線したまま前記可搬性のケースに収納されている事を特徴とする請求項１乃至４のいずれか一項に記載の光パルス測定システム。
【発明の詳細な説明】
【技術分野】
【０００１】
本発明は、複数の光通信測定器を遠隔地から操作することができる光パルス測定システムに関するものである。
【背景技術】
【０００２】
ＯＴＤＲ（光パルス試験器）は、光ファイバの片端から光パルスを入射し，光ファイバ長手方向の各点で反射されて入射端に戻ってくる光パワーの距離分布を解析することによって，光ファイバの損失，接続点までの距離と接続損失および接続点で生じた反射量，光ファイバが破断した場合の破断点までの距離を測定する測定器として、広く使用されている。
【０００３】
このＯＴＤＲ（光パルス試験器）は、光回線開放端より接続する必要があるため、従来においては、使用に際して、光回線を接続・切断する作業箇所と、ＯＴＤＲを設置する現場（局舎）に人員を配置する必要があり、人員確保や人件費がかかるという問題があった。
【０００４】
そこで、無線によって、ＯＴＤＲを遠隔操作するシステムが考案されている（例えば、特許文献１参照）。
【０００５】
この特許文献１は、制御信号やデータを、ノートパソコンからモデムやＰＨＳ（登録商標）を通じてＯＴＤＲに送って、ＯＴＤＲを遠隔操作する技術を開示している。
【先行技術文献】
【特許文献】
【０００６】
【特許文献１】特開２０００−１９３５５５号公報
【発明の概要】
【発明が解決しようとする課題】
【０００７】
しかし、上記した無線を用いた遠隔操作技術では、ノートパソコンからモデムやＰＨＳを通じて一つの局舎にあるＯＴＤＲを遠隔操作することができるが、複数の局舎から光ファイバが一カ所に敷設されてきた際の測定を想定していないため、複数の局舎にある光通信測定器であるＯＴＤＲを遠隔操作することができないという問題があった。
【０００８】
そこで、本発明は、上述した課題を解決するためになされたもので、複数の局舎にある光通信測定器を遠隔操作することができる光パルス測定システムを提供することを目的とする。
【課題を解決するための手段】
【０００９】
上記課題を解決するために、請求項１に記載の光パルス測定システムに係る発明は、例えば、図１，図２に示すように、
複数の局舎から布設された複数の光ファイバの一端部に、それぞれ対応して設置される複数の測定システムと、
前記複数の光ファイバの他端部が１本の光ファイバとして纏められた接続部に配置され、前記複数の測定システムへ測定制御信号を無線で送信する遠隔制御操作端末とを備え、
前記複数の測定システムはそれぞれ、
光回線を選択する光スイッチと、
前記光ファイバにおける局舎側の片端から光パルスを入射し、光ファイバ長手方向の各点で反射されて入射端に戻ってくる光パワーの距離分布を解析する光通信測定器と、
前記遠隔制御操作端末から送信された前記測定制御信号を受信して、前記光スイッチに光回線を選択する信号を送り、当該光スイッチで選択された光回線に対応する前記光通信測定器の測定結果を、前記遠隔制御操作端末に送信する送受信機と、
前記光スイッチ、前記光通信測定器、及び送受信機を一括して収納する可搬性のケースと、を具備する事を特徴とする。
【００１０】
請求項１に記載の光パルス測定システムに係る発明によれば、複数の局舎に可搬性のケースに収納された測定システムを設置し、複数の光ファイバが１本の光ファイバとして纏められた接続部で遠隔制御操作端末を操作して、無線で各測定システムを制御する構成にしているので、作業者が少ない人数で複数の光通信測定器を遠隔操作し、複数の光通信測定器からの測定結果を遠隔制御操作端末で受信することができる。
【００１１】
請求項２に記載の光パルス測定システムに係る発明は、例えば、図２に示すように、遠隔制御操作端末は、同一の光回線の光パルスの複数の測定結果を平均化し、複数の光通信測定器の接続損失、反射減衰量を表示する事を特徴とする。
【００１２】
請求項２に記載の光パルス測定システムに係る発明によれば、遠隔制御操作端末は、同一の光回線の光パルスの複数の測定結果を平均化し、複数の光通信測定器の接続損失、反射減衰量を表示するので、作業者は複数の光通信測定器の測定結果を認識し、接続状態を確認することができる。
【００１３】
請求項３に記載の光パルス測定システムに係る発明は、例えば、図３，図４に示すように、複数の光通信測定器はそれぞれ識別番号が付され、遠隔制御操作端末は、測定結果に含まれる識別番号に基づき複数の光通信測定器毎に接続損失、反射減衰量を表示する事を特徴とする。
【００１４】
請求項３に記載の光パルス測定システムに係る発明によれば、複数の光通信測定器はそれぞれ識別番号が付され、遠隔制御操作端末は、測定結果に含まれる識別番号に基づき複数の光通信測定器毎に接続損失、反射減衰量を表示するので、測定結果に基づき光通信測定器に対応する接続状態の良否を把握することができる。
【００１５】
請求項４に記載の光パルス測定システムに係る発明は、例えば、図２に示すように、遠隔制御操作端末は、前回測定した光回線ポートにプリセットする事を特徴とする。
【００１６】
請求項４に記載の光パルス測定システムに係る発明によれば、遠隔制御操作端末は、前回測定した光回線ポートにプリセットするので、効率的に測定を開始することができる。
【００１７】
請求項５に記載の光パルス測定システムに係る発明は、例えば、図７に示すように、送受信機と、光通信測定器とが結線したまま可搬性のケースに収納されている事を特徴とする。
【００１８】
請求項５に記載の光パルス測定システムに係る発明によれば、送受信機と、光通信測定器とが結線したまま可搬性のケースに収納されているので、持ち運びが容易である。
【発明の効果】
【００１９】
本発明によれば、複数の局舎にある光通信測定器を遠隔操作することができる光パルス測定システムを提供することができる。
【図面の簡単な説明】
【００２０】
【図１】本発明に係る光パルス測定システムの一例を示す概略図である。
【図２】本発明に係る光パルス測定システムの一部を示す概略図である。
【図３】本発明に係る遠隔制御端末の通信設定画面の設定例を示す図である。
【図４】本発明に係る遠隔制御端末の通信設定画面のグループ設定を示す図である。
【図５】本発明に係る遠隔制御端末の通信設定画面のグループ設定を示す図である。
【図６】本発明に係る光パルス測定システムのＯＴＤＲ用ケースに収納される上段箱と下段箱の一例を示す斜視図である。
【図７】本発明に係る光パルス測定システムのＯＴＤＲ用ケースの内箱の一例を示す斜視図である。
【発明を実施するための形態】
【００２１】
以下に、図面を参照して、本発明の一実施の形態について説明する。
【００２２】
＜実施の形態＞
図１乃至図７は、本発明に係る光パルス測定システムの実施の形態を示す。
【００２３】
本発明に係る光パルス測定システム１は、無線で測定制御信号を送信する遠隔制御操作端末と、遠隔制御操作端末からの測定制御信号を受信し、測定結果を複数の遠隔制御操作端末に送信する複数の送受信機と、送受信機から受信した測定制御信号に従って、光パルスを測定し、遠隔制御操作端末に測定結果を送受信機を介して送信する複数の光通信測定器とを備える。
【００２４】
本実施の形態では、遠隔制御操作端末としてタブレット３、送受信機として、ルーター５、光通信測定器としてＯＴＤＲ７を使用している。図１に示す接続部９では、複数の局舎１１ａ〜ｅから布設された複数の光ファイバ１３が１本の光ファイバ１３として纏められている。タブレット３は接続部９で作業をしている作業員が操作する。そして、作業員は、接続作業を終えた後、タブレット３からＬＴＥ等の無線を用いて制御信号を送信し、制御信号に従って、遠隔地にある各局舎１１ａ〜ｅに設置されたＯＴＤＲ７と光スイッチ１５を操作し、複数のＯＴＤＲ７の測定結果をタブレット３で受信する。
【００２５】
タブレット３は、複数のＯＴＤＲ７について、同一の光回線の光パルスの測定結果をそれぞれ平均化し、平均結果を表示し、複数の光通信測定器の接続損失、反射減衰量を表示する。作業者は、図２に示すタブレット３の平均化処理ボタン１７を押して、複数のＯＴＤＲ７について、同一の光回線の光パルスの測定結果をそれぞれ平均化した平均結果をタブレット３に表示する。
【００２６】
また、複数のＯＴＤＲ７はそれぞれ識別番号が付されており、タブレット３は、測定結果に含まれる識別番号に基づき複数のＯＴＤＲ７毎に接続損失、反射減衰量を表示する事もできる。
【００２７】
図３乃至図５に示すように、作業者は、タブレット３で、各局舎１１ａ〜ｅのＯＴＤＲ７の通信設定を行う。図３に示す例では、複数の局舎１１ａ〜ｅに対応するＯＴＤＲ７の識別番号等が設定されている。図５に示すように、各局舎１１ａ〜ｅに設置するＯＴＤＲ７には、任意のグループ名等が設定可能である。
【００２８】
図３では、設定０（グループ設定）において、ＯＴＤＲ７のユーザ名がanonymous、ＩＰアドレスが１９２．１６８．１．４５と設定されている。ＩＰアドレスは、ＯＴＤＲ７の識別番号に相当する。作業者は、通信設定画面において、複数の局舎１１ａ〜ｅに設置されるＯＴＤＲ７のユーザ名および識別番号を予め設定し、グループを選択して測定制御信号を選択したグループのＯＴＤＲ７が設置されている局舎１１ａ〜ｅに送信して、測定を実行し、タブレット３に測定結果を表示する。
【００２９】
光ファイバ１３の布設は１日に数十キロの工程において行われ、その接続は複数個所において行われ、その作業は数日にわたる。複数のグループがある場合、例えば、前日の作業において、回線２の確認で作業が終了したとき、タブレット３は、前回測定した光回線（回線２）を記憶する。そして、翌日の光パルス測定システム１の立ち上げ時に、回線２の確認でよいかをタブレット３に表示させる。回線２の確認でよい場合は画面上のＯＫボタンを押し光回線を選択する信号を光スイッチ１５に送る。回線を変更する場合は画面上の変更ボタンを押して、測定対象の回線を設定し、回線２の場合、タブレット３は、光スイッチ測定ポートを前回測定した光回線ポートにプリセットする。
【００３０】
次に、図６および図７を参照して、図２に示す一括収納範囲のＯＴＤＲ７、光スイッチ１５、電源タップ１９、ルーター５を光ジャンパー、ＬＡＮケーブルで結線したまま収納するソフトケース２１について説明する。ソフトケース２１に予め収納しておくことにより、可搬性向上、および配線を収納することができ準備時間の削減ができる。電源コードは１本とし、ソフトケース２１内にタップで纏める。
【００３１】
図６および図７に示すように、上下２段に別れた上段箱２３と下段箱２５に分かれ、上段箱２３にＯＴＤＲ７と光スイッチ１５が収納され、下段箱２５に電源タップ１９とルーター５が収納され、下段箱２５、上段箱２３の順にソフトケース２１内に収納される。ソフトケース２１の側面には、タブレット３、電源タップ１９のコード、その他小物を収納する複数のポケットが設けられている。
【００３２】
上段箱２３の底板にはＯＴＤＲ７と光スイッチ１５の電源コードとＬＡＮケーブルを通す底穴が設けられ、下段箱２５の電源タップ１９にＯＴＤＲ７と光スイッチ１５とルーター５の電源コードが接続されている。また、ＯＴＤＲ７と光スイッチ１５とが、下段箱２５に設置されているルーター５にＬＡＮケーブルで接続されている。電源タップ１９の電源コードは下段箱２５の側面に設けられた穴からソフトケース２１の側部に設けられているポケットに纏められて収納されている。
【００３３】
本発明においては、単独のタブレット３により、複数のＯＴＤＲ７を操作する場合と、複数のタブレット３により、複数のＯＴＤＲ７を操作する場合のいずれをも含んでいる。
【符号の説明】
【００３４】
１  光パルス測定システム
３  タブレット
５  ルーター
７  ＯＴＤＲ
９  接続部
１１ａ  局舎
１１ｅ  局舎
１３  光ファイバ
１５  光スイッチ
１７  平均化処理ボタン
１９  電源タップ
２１  ソフトケース
２３  上段箱
２５  下段箱
【図１】
0006472636.tif 000002
【図２】
0006472636.tif 000003
【図３】
0006472636.tif 000004
【図４】
0006472636.tif 000005
【図５】
0006472636.tif 000006
【図６】
0006472636.tif 000007
【図７】
0006472636.tif 000008